(57)【要約】    【課題】  撮影者の意図した位置でのファイル分割を可能にするとともに、編集に使いやすい形でファイル作成を行うことを可能にする。    【解決手段】  まず、撮像素子１０１から出力された映像データを記録媒体１１０に設けられた第１のファイルに記録する。この撮像素子１０１による撮影中に、分割指示部１１１がユーザから入力される分割指示を受け取ると、該分割指示を受け取った時点以降の撮像素子１０１から出力された映像データを記録媒体１１０に設けられた前記第１のファイルとは異なる第２のファイルに記録する。【選択図】      図１
2005328154.tif 000002
【特許請求の範囲】
【請求項１】
撮影手段により得られた映像データをランダムアクセス可能な記録媒体に記録する記録装置において、
前記撮影手段により得られた映像データを前記記録媒体に記録する記録手段と、
前記記録媒体に対して記録する映像データの分割を任意に指示する分割指示手段と、
記録開始の指示に応じて、前記撮影手段から出力された映像データを第１のファイルに格納して前記記録媒体記録すると共に、前記第１のファイルの映像データの記録中における前記分割指示手段の指示に応じて、前記分割指示以降の前記撮影手段から出力された映像データを前記第１のファイルとは異なる第２のファイルに格納して前記記録媒体に記録するよう前記記録手段を制御する制御手段と
を有することを特徴とする記録装置。
【請求項２】
前記制御手段は更に、前記第１のファイルに記録された映像データのうち、終端近傍の部分を重複部分として、前記分割指示以降の前記撮影手段から出力された映像データの先頭に付加して、前記第２のファイルに格納するよう前記記録手段を制御することを特徴とする請求項１記載の記録装置。
【請求項３】
前記重複部分の期間を決定する決定手段を、更に有することを特徴とする請求項２記載の記録装置。
【請求項４】
前記決定手段は、ユーザから指定された時間に基づき前記重複期間を決定することを特徴とする請求項３記載の記録装置。
【請求項５】
前記記録手段は更に、前記映像データに関連した音声データを前記第１及び第２のファイルに格納して記録し、
前記決定手段は、前記第１のファイルに記録された音声データを終端から遡って、音声データが示す音声レベルが所定値以下である状態が所定時間だけ継続する位置を検出し、該検出された位置から前記終端までを前記重複期間として決定することを特徴とする請求項３記載の記録装置。
【請求項６】
前記記録装置は、画面内符号化及び画面間予測符号化を選択的に用いて前記撮像手段により得られた映像データを符号化する符号化手段を更に有し、
前記決定手段は、前記第１のファイルに記録された映像データを終端から遡って画面内符号化されたフレームを検出し、前記検出された画面内符号化フレームから前記終端までを前記重複期間として決定することを特徴とする請求項３記載の記録装置。
【請求項７】
前記記録装置は、前記記録媒体から映像データを再生する再生手段を更に有し、
前記制御手段は更に、前記第２のファイルに対する前記映像データの記録中に、前記第１のファイルに記録された映像データを終端から遡って逆再生するよう前記再生手段を制御し、
前記決定手段は、前記逆再生中における逆再生停止の指示に応じて、前記逆再生停止の指示があった位置から前記終端までを前記重複期間として決定することを特徴とする請求項３記載の記録装置。
【請求項８】
前記再生手段は、前記撮影手段から出力されている映像データによる画像と、前記逆再生または巻き戻し再生による画像とを同時に画像表示手段に表示させることを特徴とする請求項７記載の記録装置。
【請求項９】
前記再生手段は、前記逆再生または巻き戻し再生による画像を、前記撮影手段から出力されている映像データによる画像を表示する画像表示手段とは別の外部の画像表示手段に表示させることを特徴とする請求項７記載の記録装置。
【請求項１０】
前記第１及び第２のファイルは、前記記録媒体に設けられた同一の階層構造内に収容されることを特徴とする請求項２記載の記録装置。
【請求項１１】
前記記録手段は更に、前記第１及び第２のファイルに対し、それぞれ自ファイルに記録される重複部分のサイズを表すサイズ情報と、各ファイル間の相互関係を表す関係情報とを記録し、
前記サイズ情報および関係情報を使用して、前記重複部分を再生せずに前記第１及び第２のファイルに記録された映像データを前記記録媒体から再生する再生手段を、さらに有することを特徴とする請求項２記載の記録装置。
【請求項１２】
撮影手段により得られた映像データをランダムアクセス可能な記録媒体に記録する記録装置に適用されるファイル分割方法において、
前記撮影手段により得られた映像データを前記記録媒体に記録する記録ステップと、
前記記録媒体に対して記録する映像データの分割を任意に指示する分割指示ステップと、
記録開始の指示に応じて、前記撮影手段から出力された映像データを第１のファイルに格納して前記記録媒体記録すると共に、前記第１のファイルの映像データの記録中における前記分割指示ステップによる指示に応じて、前記分割指示以降の前記撮影手段から出力された映像データを前記第１のファイルとは異なる第２のファイルに格納して前記記録媒体に記録するよう前記記録ステップを制御する制御ステップと
を有することを特徴とするファイル分割方法。
【請求項１３】
前記制御ステップは更に、前記第１のファイルに記録された映像データのうち、終端近傍の部分を重複部分として、前記分割指示以降の前記撮影手段から出力された映像データの先頭に付加して、前記第２のファイルに格納するよう前記記録ステップを制御することを特徴とする請求項１２記載のファイル分割方法。
【請求項１４】
前記重複部分の期間を決定する決定ステップを、更に有することを特徴とする請求項１３記載のファイル分割方法。
【請求項１５】
前記決定ステップは、ユーザから指定された時間に基づき前記重複期間を決定することを特徴とする請求項１４記載のファイル分割方法。
【請求項１６】
前記記録ステップは更に、前記映像データに関連した音声データを前記第１及び第２のファイルに格納して記録し、
前記決定ステップは、前記第１のファイルに記録された音声データを終端から遡って、音声データが示す音声レベルが所定値以下である状態が所定時間だけ継続する位置を検出し、該検出された位置から前記終端までを前記重複期間として決定することを特徴とする請求項１４記載のファイル分割方法。
【請求項１７】
画面内符号化及び画面間予測符号化を選択的に用いて前記撮像手段により得られた映像データを符号化する符号化ステップを更に有し、
前記決定ステップは、前記第１のファイルに記録された映像データを終端から遡って画面内符号化されたフレームを検出し、前記検出された画面内符号化フレームから前記終端までを前記重複期間として決定することを特徴とする請求項１４記載のファイル分割方法。
【請求項１８】
前記記録媒体から映像データを再生する再生ステップを更に有し、
前記制御ステップは更に、前記第２のファイルに対する前記映像データの記録中に、前記第１のファイルに記録された映像データを終端から遡って逆再生するよう前記再生ステップを制御し、
前記決定ステップは、前記逆再生中における逆再生停止の指示に応じて、前記逆再生停止の指示があった位置から前記終端までを前記重複期間として決定することを特徴とする請求項１４記載のファイル分割方法。
【請求項１９】
前記再生ステップは、前記撮影手段から出力されている映像データによる画像と、前記逆再生または巻き戻し再生による画像とを同時に画像表示手段に表示させることを特徴とする請求項１８記載のファイル分割方法。
【請求項２０】
前記再生ステップは、前記逆再生または巻き戻し再生による画像を、前記撮影手段から出力されている映像データによる画像を表示する画像表示手段とは別の外部の画像表示手段に表示させることを特徴とする請求項１８記載のファイル分割方法。
【請求項２１】
前記第１及び第２のファイルは、前記記録媒体に設けられた同一の階層構造内に収容されることを特徴とする請求項１３記載のファイル分割方法。
【請求項２２】
前記記録ステップは更に、前記第１及び第２のファイルに対し、それぞれ自ファイルに記録される重複部分のサイズを表すサイズ情報と、各ファイル間の相互関係を表す関係情報とを記録し、
前記サイズ情報および関係情報を使用して、前記重複部分を再生せずに前記第１及び第２のファイルに記録された映像データを前記記録媒体から再生する再生ステップを、さらに有することを特徴とする請求項１３記載のファイル分割方法。
【請求項２３】
撮影手段により得られた映像データをランダムアクセス可能な記録媒体に記録する記録装置に適用されるファイル分割方法を、コンピュータに実行させるためのプログラムにおいて、
前記撮影手段により得られた映像データを前記記録媒体に記録する記録ステップと、
前記記録媒体に対して記録する映像データの分割を任意に指示する分割指示ステップと、
記録開始の指示に応じて、前記撮影手段から出力された映像データを第１のファイルに格納して前記記録媒体記録すると共に、前記第１のファイルの映像データの記録中における前記分割指示ステップによる指示に応じて、前記分割指示以降の前記撮影手段から出力された映像データを前記第１のファイルとは異なる第２のファイルに格納して前記記録媒体に記録するよう前記記録ステップを制御する制御ステップと
を有することを特徴とするプログラム。
【請求項２４】
前記制御ステップは更に、前記第１のファイルに記録された映像データのうち、終端近傍の部分を重複部分として、前記分割指示以降の前記撮影手段から出力された映像データの先頭に付加して、前記第２のファイルに格納するよう前記記録ステップを制御することを特徴とする請求項２３記載のプログラム。
【発明の詳細な説明】
【技術分野】
【０００１】
本発明は、記録装置、ファイル分割方法、及びプログラムに関し、特に、撮影手段により得られた映像データをランダムアクセス可能な記録媒体に記録する記録装置、該記録装置に適用されるファイル分割方法、及び該ファイル分割方法をコンピュータに実行させるためのプログラムに関する。
【背景技術】
【０００２】
従来の映像記録再生装置には、撮影時点において撮影映像データとともに、該映像データに関わる各種関連情報を同時に映像記録媒体に記録するものがある（例えば、特許文献１参照）。
【０００３】
すなわち、映像記録媒体に、各種関連情報を記録するためのインデクス領域を設け、シャッタースイッチの押し下げをきっかけとして映像データを映像記録媒体に記録するとともに、インデクス領域に、映像記録媒体内で映像データが記録されている位置のアドレス、映像データ長、および該映像データの関連情報を記録する。
【０００４】
また、編集時に、撮影済みのデータに対してユーザが画像解析によるシーン分割を行なうことができるものもある。
【０００５】
図９は、従来の映像記録再生装置の構成を示すブロック図である。
【０００６】
図９において、１０１は撮像素子であり、レンズに入射した被写体画像を電気信号に変換し、ディジタル画像データとする。１０２はカメラ信号処理部であり、撮像素子１０１からのディジタル画像データに対してホワイトバランスなどの信号処理を行なう。１０３は画像圧縮・伸長処理部であり、記録時にはカメラ信号処理部１０２からの信号に対して画像圧縮処理を行い、再生時には記録媒体１１０に記録されたデータの伸長処理を行う。ここでの圧縮は、映像の画面内（空間的）相関による圧縮及び／または画面間（時間的）相関による圧縮などが主に行なわれる。
【０００７】
１０４は出力処理部であり、撮影時のカメラ信号処理部１０２から出力される信号処理後のデータや画像圧縮・伸長処理部１０３で伸長されたデータを外部出力信号あるいは表示データへ変換する。１０５はビューファインダや液晶パネルなどの表示部であり、撮影画像や再生画像の表示を行う。１０６は記録・再生処理部であり、記録媒体１１０に対して圧縮データの書き込み及び読み出しを行う。１０７は光学系制御部であり、フォーカスや絞りなどの制御を行なう。１０８はシステムコントローラであり、各処理部の状態管理や実行処理制御などを行う。１０９は操作部であり、ユーザが装置に対して撮影開始／終了などの処理実行・停止指示を行うための本体ボタン・スイッチ、あるいはリモコンなどからなる。１１０は記録媒体であり、磁気テープを用いられることが多いが、ここではランダムアクセス可能な磁気ディスク・光ディスクなどを用いる。記録媒体１１０内のインデックス領域９１１には、映像データの位置アドレス、映像データ長などが映像データとともに記録される。
【０００８】
音声処理部については、ここでは図示しないが、マイクなどから入力された音声信号が画像データ同様に、ディジタル音声データに変換され、圧縮処理され、記録される。再生時には所要の出力処理が行われる。
【特許文献１】特開平８−２９４０８０号公報（第９頁、図２）
【発明の開示】
【発明が解決しようとする課題】
【０００９】
ところで、各種の行事や講演などの撮影においては、長時間の連続撮影（流し撮り）が行われ、撮影後に編集されることがあり、この場合、編集に使用するカット（クリップ、ファイル）が長すぎて、編集作業をやりづらいという問題があった。
【００１０】
すなわち、上記従来の映像記録再生装置において、長時間の連続ファイルに対して１つのインデックス情報しか与えられない場合、カット編集を効率よく行うことができない。
【００１１】
また、カット編集を行う場合に、インデックス情報などを基に映像検索を行っても、インデックス画像の位置が必ずしも編集時のカットイン位置ではないため、編集のカットイン、カットアウト位置を設定して、再切り出しを行う必要があった。
【００１２】
さらに、撮影後の編集時に画像解析によるシーン分割を行う方法では、撮影者の意図が分割位置に必ずしも反映されないなどの欠点があった。
【００１３】
本発明はこのような問題点に鑑みてなされたものであって、撮影者の意図した位置でのファイル分割を可能にするとともに、編集に使いやすい形でファイル作成を行うことを可能にした記録装置、ファイル分割方法、及びプログラムを提供することを目的とする。
【課題を解決するための手段】
【００１４】
上記目的を達成するために、請求項１記載の発明によれば、撮影手段により得られた映像データをランダムアクセス可能な記録媒体に記録する記録装置において、前記撮影手段により得られた映像データを前記記録媒体に記録する記録手段と、前記記録媒体に対して記録する映像データの分割を任意に指示する分割指示手段と、記録開始の指示に応じて、前記撮影手段から出力された映像データを第１のファイルに格納して前記記録媒体記録すると共に、前記第１のファイルの映像データの記録中における前記分割指示手段の指示に応じて、前記分割指示以降の前記撮影手段から出力された映像データを前記第１のファイルとは異なる第２のファイルに格納して前記記録媒体に記録するよう前記記録手段を制御する制御手段とを有することを特徴とする記録装置が提供される。
【００１５】
また、請求項１２記載の発明によれば、撮影手段により得られた映像データをランダムアクセス可能な記録媒体に記録する記録装置に適用されるファイル分割方法において、前記撮影手段により得られた映像データを前記記録媒体に記録する記録ステップと、前記記録媒体に対して記録する映像データの分割を任意に指示する分割指示ステップと、記録開始の指示に応じて、前記撮影手段から出力された映像データを第１のファイルに格納して前記記録媒体記録すると共に、前記第１のファイルの映像データの記録中における前記分割指示ステップによる指示に応じて、前記分割指示以降の前記撮影手段から出力された映像データを前記第１のファイルとは異なる第２のファイルに格納して前記記録媒体に記録するよう前記記録ステップを制御する制御ステップとを有することを特徴とするファイル分割方法が提供される。
【００１６】
さらに、上記ファイル分割方法をコンピュータに実行させるためのプログラムが提供される。
【発明の効果】
【００１７】
本発明によれば、撮影手段により得られた映像データをランダムアクセス可能な記録媒体に記録する記録装置において、前記撮影手段により得られた映像データを前記記録媒体に記録する。そして、前記記録媒体に対して記録する映像データの分割指示を受け取ると、記録開始の指示に応じて、前記撮影手段から出力された映像データを第１のファイルに格納して前記記録媒体記録すると共に、前記第１のファイルの映像データの記録中における前記分割指示に応じて、前記分割指示以降の前記撮影手段から出力された映像データを前記第１のファイルとは異なる第２のファイルに格納して前記記録媒体に記録する。
【００１８】
これにより、撮影者の意図した位置でのファイル分割が可能となるとともに、編集に使いやすい形でファイル作成を行うことが可能になる。すなわち、撮影時に記録を中断することなく、編集時のカットイン・アウト指定となる記録ファイルの分割（クリップ作成）を撮影者の指示によって行えることで、特に長時間撮影において記録ファイルに対する煩わしい操作から開放される。さらに分割映像記録を汎用的な形式で行うことで、再生環境での特別な処理を追加することなく、ファイルの映像検索や編集での再利用が容易になる。
【００１９】
また、分割指定時のファイル分割処理において、終了させたファイルの終端部分データを、新規ファイルの先端部分に付加して重複記録行うことで、分割操作におけるカットイン・アウトを意識することなくクリップ作成が行え、さらにその付加データは過去のデータであることから、分割指示操作の遅れや編集における場面転換などのためのマージンが含まれるため、編集が効率的に行える。
【００２０】
さらに、重複部をスキップした連続再生を行うことが可能であり、重複部を意識することなく再生が行える。
【発明を実施するための最良の形態】
【００２１】
以下、本発明を実施するための最良の形態について、図面を参照して説明する。
【００２２】
〔第１の実施の形態〕
図１は、本発明の第１の実施の形態に係る映像記録再生装置の構成を示すブロック図である。なお、図１において、図９に示す従来の映像記録再生装置と同一の構成部分には同一の参照符号を付してその説明を省略する。
【００２３】
図１において、１１１は、操作部１０９内に設けられる分割指示部であり、操作部１０９を従来構成する撮影開始／終了ボタンなどとは別に設けられたボタンなどからなる。１１２は、システムコントローラ１０８内に設けられた重複設定部であり、ユーザから設定された重複時間を保持する。１１３は、システムコントローラ１０８と記録・再生処理部１０６とに接続される分割処理部であり、分割指示部１１１に対してユーザによって行なわれた分割指示に従い、ファイルの分割処理を行なう。すなわち、記録・再生処理部１０６に対し、現在書き込み中のファイルのクローズ処理と新規ファイルの作成処理とを指示し、また、重複設定部１１２に保持されている重複時間に相当する分の前回ファイルの終端から遡った映像データを今回ファイルの先頭に重複部分として書き込むように指示する。
【００２４】
１１４はバッファである。ファイルの分割処理を行うため、映像データの記録媒体１１０への書き込み処理に遅延が発生する可能性があり、記録媒体１１０での映像記録が途切れないようにするために、バッファ１１４を設け、ここに一時的に遅延圧縮データを保存する。
【００２５】
１１５は、記録媒体１１０に格納された撮影開始から撮影終了までの記録映像であり、分割されて複数のファイルとなっている。斜線で示す部分が、前回ファイルと今回ファイルの重複部分である。
【００２６】
ユーザによって設定され、重複設定部１１２に保持される重複時間（例えばｔ）は、重要シーンでのユーザによる分割指示の遅れを考慮すると長いほうがよく、一方、装置のバッファ量や特性を考慮すると短いほうがよい。さらに、編集時に適用する場面転換時間の数秒でも効果があるとも考えられる。なお、ｔ＝０の場合、重複部分はなくなり、単に分割処理を行うのみとなる。
【００２７】
図２は、撮影開始から撮影終了までの１つの記録映像と、分割された複数のファイルとを示す図である。
【００２８】
図２において、２０１が１つ分の記録映像であり、２０２、２０４、２０６、２０８が、記録映像２０１を格納するファイルを、ユーザによる分割指示により分割することによって作成されたファイル（クリップ）である。２０３、２０５、２０７は重複部であり、それぞれファイル２０２、２０４、２０６の各終端から重複時間ｔ分だけ遡った映像データのコピーであり、ファイル２０４、２０６、２０８の各先頭部に付加される。
【００２９】
図３は、第１の実施の形態における映像記録再生装置で行なわれるファイル分割処理を含む映像データ記録処理の手順を示すフローチャートである。この映像データ記録処理は、ユーザによる操作部１０９への撮影（記録）開始指示により開始される。
【００３０】
ステップＳ３０１では、映像データの記録を開始するために、記録媒体１１０に新規ファイル（例えば図２のファイル２０２）を作成し、ステップＳ３０２で、撮影された映像データのファイルへの書き込み記録を行う。
【００３１】
ステップＳ３０３では、ユーザによる操作部１０９への撮影（記録）終了の指示が行われたか否かを判別し、行われた場合ステップＳ３０４へ進んで、書き込み記録中のファイルをクローズして（閉じて）記録を終了させる。一方、撮影（記録）終了指示が行われていない場合ステップＳ３０５へ進んで、ユーザによる分割指示部１１１への分割指示が行われたか否かを判別する。
【００３２】
この結果、分割指示が行われない場合、ステップＳ３０２に戻って、引き続き映像データの記録を行う。一方、分割指示が行われた場合ステップＳ３０６へ進んで、分割処理部１１３が、記録中のファイル（例えば図２のファイル２０２）をクローズする。そしてステップＳ３０７で、撮影されたデータを引き続き記録するために新規ファイル（例えば図２の２０３，２０４）を作成する。
【００３３】
ここで、１つ分の記録映像（例えば図２の記録映像２０１）の撮影開始時点からの経過時間（連続撮影記録時間）をＴとした場合に、ステップＳ３０８で、連続撮影記録時間Ｔと重複設定部１１２に保持されている重複時間ｔとの比較を行い、連続撮影記録時間Ｔが重複時間ｔ以下である場合、つまり撮影開始時点から未だ時間ｔが経過していない場合、ステップＳ３０９へ進んで、重複時間をＴに設定する。一方、連続撮影記録時間Ｔが重複時間ｔより大きい場合、ステップＳ３１０へ進む。
【００３４】
ステップＳ３１０では、クローズしたファイル（例えば図２のファイル２０２）において終端から重複時間ｔ分だけ遡った位置（重複部先頭）を検索し、ステップＳ３１１で、この位置から終端までの重複時間ｔ分の映像データを、クローズしたファイルから複写して、ステップＳ３０７で作成された新規ファイルに書き込む（例えば図２の重複部分２０３となる）。
【００３５】
一方、ステップＳ３０６からステップＳ３１１までの処理を行っている間に入力する映像データ（例えば図２のファイル２０４に書き込まれるべき映像データ）を一時記録するために、ステップＳ３０６からステップＳ３１１までの処理と並行して、ステップＳ３１２およびステップＳ３１３を同時に実行する。
【００３６】
ステップＳ３１２では、分割指示後に入力した映像データをバッファ１１４に一時記録し、ステップＳ３１３では、バッファ１１４に一時記録された映像データを、ステップＳ３０７で作成された新規ファイルに書き込む（例えば図２のファイル２０４となる）。
【００３７】
ただし、ファイルクローズ処理や新規ファイル作成処理に要する時間、及び重複部先頭の検索処理に要するが、記録媒体１１０への映像データの書き込み単位と映像・音声の圧縮データのビットレート（ｂｐｓ）とにより決まる記録媒体１１０へのデータ書き込み時間間隔に比べて、十分短い場合には、ステップＳ３１２、Ｓ３１３を省略することも可能であり、この場合バッファ１１４も不要となる。なお、これらの関係から、バッファ１１４に必要な記憶容量を求めることが可能である。
【００３８】
以上のようにして、撮影記録時に、撮影者の意図した位置でのファイル分割を行なうことが可能となり、また、ファイル分割の際に映像データを重複して記録することで、編集に使いやすいファイル作成が可能となる。
【００３９】
なお上記の第１の実施の形態では、バッファ１１４を画像圧縮・伸長処理部１０３と記録・再生処理部１０６の間に設けるようにするが、バッファ１１４の記憶容量がファイル分割処理に対して十分であれば、これに代わって、バッファ１１４を記録・再生処理部１０６と記録媒体１１０との間に設けるようにしてもよい。これによって、記録媒体１１０への記録と同時に常にバッファ１１４へ映像データの重複部分をバッファリングでき、分割指示時にはファイルクローズしたファイルの重複部分の検索などを行うことなく、バッファ１１４から重複部分を複写することが可能である。また、バッファ１１４は記録媒体１１０内の空き領域を利用することも可能である。
【００４０】
〔第２の実施の形態〕
次に、本発明の第２の実施の形態を説明する。
【００４１】
第２の実施の形態の構成は、基本的に第１の実施の形態の構成と同じであるので、第２の実施の形態の説明においては、第１の実施の形態の構成と同一部分には同一の参照符号を付して、第１の実施の形態の説明を流用し、異なる部分だけを説明する。
【００４２】
講演や対談などの映像データの編集時には、音声の切れ目をカット位置として選ぶことが多い。そこで第２の実施の形態では、ユーザから分割指示があった場合に、音声レベルが所定値以下である状態が所定時間継続する位置まで遡って、その位置から分割指示があった位置までを重複部分とするようにする。
【００４３】
なお、第２の実施の形態が流用する図１に示す映像記録再生装置では、音声に関する構成ブロックを図示していないが、実際には、マイクロホンなどから入力された音声信号は、画像データ同様に、ディジタル音声データに変換された後、圧縮処理を行われ記録される。再生時には伸長などの所要の出力処理が行われる。
【００４４】
第２の実施の形態における重複設定部１１２には、所定音声レベルｖと所定時間ｓとがユーザによって設定される。
【００４５】
図４は、第２の実施の形態における撮影開始から撮影終了までの１つの記録映像と、対応する記録音声と、分割された複数のファイルとを示す図である。
【００４６】
図中４０１は、撮影開始から撮影終了までの１つの記録映像であり、４０９は、この記録映像４０１に対応する記録音声である。４０２、４０４、４０６、４０８は、記録映像４０１および記録音声４０９を格納するファイルを、ユーザによる分割指示により分割することによって作成されたファイルである。また、４０３、４０５、４０７は重複部であり、それぞれファイル４０２、４０４、４０６の各終端部分のデータのコピーであり、ファイル４０４、４０６、４０８の各先頭部に付加される。
【００４７】
第２の実施の形態における映像記録再生装置で行なわれる映像データ記録処理は、図３に示す第１の実施の形態における映像データ記録処理と基本的に同じであるが、第２の実施の形態では、図３におけるステップＳ３０８〜Ｓ３１０の処理が第１の実施の形態と異なる。すなわち、第２の実施の形態では、ステップＳ３０８、Ｓ３０９の処理は不要であり、ステップＳ３１０での処理が次のような処理となる。
【００４８】
第２の実施の形態におけるステップＳ３１０では、クローズしたファイルの終端から遡って、記録音声４０９において音声レベルが所定音声レベルｖ以下である状態が所定時間ｓだけ継続する位置を検索し、その位置から分割指示があった位置までを重複部分とするようにする。
【００４９】
第２の実施の形態では、前述のように、図３におけるステップＳ３０８〜Ｓ３１０の処理を除いては、第１の実施の形態と同様の処理が行なわれる。
【００５０】
なお、上記第２の実施の形態において、ステップＳ３１０で、記録音声４０９の音声レベルが所定音声レベルｖ以下である状態が所定時間ｓだけ継続する位置を検出できない場合に、第１の実施の形態のような、クローズしたファイルの終端から重複時間ｔ分だけ遡った位置を検索する方法に切り替えるようにしてもよい。
【００５１】
〔第３の実施の形態〕
次に、本発明の第３の実施の形態を説明する。
【００５２】
第３の実施の形態の構成は、基本的に第１の実施の形態の構成と同じであるので、第３の実施の形態の説明においては、第１の実施の形態の構成と同一部分には同一の参照符号を付して、第１の実施の形態の説明を流用し、異なる部分だけを説明する。
【００５３】
第３の実施の形態では、画像圧縮・伸長処理部１０３において画面間相関による圧縮が行なわれ、重複設定部１１２に対してユーザによって、イントラピクチャを重複部分の先頭にするようにという設定が行なわれていた場合に、ユーザから分割指示があると、分割指示があった映像データ位置から遡ってイントラピクチャを検索し、検出されたイントラピクチャから分割指示があった位置までの映像データのコピーを重複部分とするようにする。
【００５４】
図５は、第３の実施の形態における撮影開始から撮影終了までの１つの記録映像と、該記録映像のピクチャタイプ構成と、分割された複数のファイルとを示す図である。ここでは、画面間相関による圧縮方法としてＭＰＥＧ（Moving Picture Experts Group）方式を用いるものとする。
【００５５】
図５中、５０１は、撮影開始から撮影終了までの１つの記録映像であり、５０１ａは、記録映像５０１のピクチャタイプ構成部である。５０２はイントラ（Ｉ）ピクチャ（フレーム内符号化画像）であり、５０３は双方向（Ｂ）予測符号化画像であり、５０４はフレーム間予測（Ｐ）符号化画像である。５０５、５０７は、記録映像５０１を格納するファイルを、ユーザによる分割指示により分割することによって作成されたファイルである。５０６は重複部分であり、ファイル５０５の終端部分のデータのコピーであり、ファイル５０７の先頭部に付加される。
【００５６】
ユーザから分割指示があった場合に、第３の実施の形態における分割処理部１１３は、クローズしたファイルの終端から遡って、イントラ（Ｉ）ピクチャを検索し、検出されたイントラピクチャから分割指示があった位置までの映像データのコピーを重複部分５０６とするようにする。
【００５７】
なお、ここでのイントラピクチャは、クローズしたファイルの終端から遡ったとき、必ずしも一番最初に検出されるものである必要はなく、複数番目に検出されるイントラピクチャを採用するようにしてもよい。
【００５８】
〔第４の実施の形態〕
次に、本発明の第４の実施の形態を説明する。
【００５９】
第４の実施の形態の構成は、基本的に第１の実施の形態の構成と同じであるので、第４の実施の形態の説明においては、第１の実施の形態の構成と同一部分には同一の参照符号を付して、第１の実施の形態の説明を流用し、異なる部分だけを説明する。
【００６０】
第４の実施の形態では、画像圧縮・伸長処理部１０３と記録・再生処理部１０６とにおいて、圧縮・記録と同時に再生・伸長が行われ、かつその再生では、逆再生が可能であるとする。例えば分割指示部１１１がボタンである場合、分割指示後にこのボタンを押し続けたときに、逆再生を行なうようにする。そして、このボタンが離された場合、逆再生を停止する。また、重複設定部１１２に対してユーザによって、逆再生によって重複部分の先頭を検索するようにという設定が行なわれているとする。すなわち、ユーザは、重複部分の先頭を、逆再生された映像を見ながら任意に選ぶことが可能となる。
【００６１】
図６は、第４の実施の形態における映像記録再生装置で行なわれるファイル分割処理を含む映像データ記録処理の手順を示すフローチャートである。この映像データ記録処理は、図３に示す第１の実施の形態における映像データ記録処理と、基本的には同一であるので、同一ステップには同一のステップ番号を付してその説明を省略する。
【００６２】
第４の実施の形態では、ステップＳ６０８〜Ｓ６１０の処理が、図３に示す第１の実施の形態におけるステップＳ３０８〜Ｓ３１０の処理と異なっている。
【００６３】
ステップＳ６０８では、重複設定部１１２による設定が逆再生であった場合に、ステップＳ３０６でクローズしたファイルの終端から逆再生を開始し、出力処理部１０４で、撮影画像と逆再生画像とをピクチャインピクチャなどの手法により合成し、表示部１０５に表示する。
【００６４】
ステップＳ６０９では、分割指示部１１１のボタンの押し操作が終了したか否かに応じて、逆再生を終了すべきか否かを判定する。押し操作が継続していればステップＳ６０８へ戻って、逆再生を続け、一方、ボタンの押し操作が終了していれば、ステップＳ６１０へ進む。
【００６５】
ステップＳ６１０では、逆再生の停止位置を重複部分の先頭に設定する。
【００６６】
第４の実施の形態では、前述のように、図６におけるステップＳ６０８〜Ｓ６１０の処理を除いては、第１の実施の形態と同様の処理が行なわれる。
【００６７】
なお、上記の第４の実施の形態では、重複部分の先頭を検索するために逆再生を行うが、これに代わって、巻き戻し再生や逆スキップ再生を行なって、重複部分の先頭を検索するようにしてもよい。
【００６８】
〔第５の実施の形態〕
次に、本発明の第５の実施の形態を説明する。
【００６９】
第５の実施の形態の構成は、基本的に第４の実施の形態の構成と同じであるので、第５の実施の形態の説明においては、第４の実施の形態の構成を流用する。
【００７０】
第５の実施の形態では、第４の実施の形態における逆再生画像の表示を、出力処理部１０４によって外部装置に行なわせるようにする。そして、分割指示部１１１に対する操作を、この外部装置に表示された逆再生画像を見ることのできるユーザが、遠隔で行えるようにする。これによって、撮影者とは別のユーザがファイル分割指示を行うことが可能となる。
【００７１】
〔第６の実施の形態〕
次に、本発明の第６の実施の形態を説明する。
【００７２】
第６の実施の形態の構成は、基本的に第１の実施の形態の構成と同じであるので、第６の実施の形態の説明においては、第１の実施の形態の構成と同一部分には同一の参照符号を付して、第１の実施の形態の説明を流用し、異なる部分だけを説明する。
【００７３】
図７は、第６の実施の形態における記録媒体のファイル記録構成を示す図である。
【００７４】
第６の実施の形態では、分割処理部１１３によって作成される新規ファイル（図３のステップＳ３０１、Ｓ３０７）を、同一ディレクトリにまとめる処理を行う。すなわち、１回目の新規ファイル作成（図３のステップＳ３０１）では、記録媒体７１５に新規にディレクトリの作成を行い、そのディレクトリに、記録映像７０１に関わる複数ファイル７０４〜７０６を収容するフォルダ７１２の作成を行う。２回目の新規ファイル作成（図３のステップＳ３０７）では、同一のディレクトリに、記録映像７０２に関わるファイル７０７を収容するフォルダ７１３の作成を行う。３回目の新規ファイル作成（図３のステップＳ３０７）では、同一のディレクトリに、記録映像７０３に関わる複数ファイル７０８〜７１１を収容するフォルダ７１４の作成を行う。
【００７５】
なお、各ファイルにおける先頭画像をインデックス画面（サムネイル画像）として、記録媒体７１５内のファイルの一覧が可能な環境であれば、例えば記録媒体１１０がパーソナルコンピュータ環境下などにあれば、ファイルの識別を容易に行うことが可能である。
【００７６】
また、上記の複数の記録映像を１つのディレクトリに収容するファイル収容構成は、上記の第１乃至第５の実施の形態のいずれにも適用可能である。
【００７７】
〔第７の実施の形態〕
次に、本発明の第７の実施の形態を説明する。
【００７８】
第７の実施の形態の構成は、基本的に第１の実施の形態の構成と同じであるので、第７の実施の形態の説明においては、第１の実施の形態の構成と同一部分には同一の参照符号を付して、第１の実施の形態の説明を流用し、異なる部分だけを説明する。
【００７９】
第７の実施の形態では、各ファイルの先頭に、対応ファイルのリンク情報と重複時間に関する情報とを記録するようにする。
【００８０】
図８は、第７の実施の形態におけるファイル形態を示す図である。（Ａ）は、各ファイルの先頭に挿入されるリンク情報および重複時間情報の記録フォーマットと実例とを示し、（Ｂ）は、ファイルの実例を示す。
【００８１】
図８（Ａ）中８０１は、リンク情報および重複時間情報の記録フォーマットであり、自ファイルのファイル名、リンク先となる前後ファイルのポインタ情報、自ファイルに含まれる重複部分を特定するための情報としての重複時間から構成される。図８（Ｂ）に示すファイルの実例では、再生画像（記録映像）８１０が、ファイル８０５，８０７，８０９に分割され、重複時間ｔ１の重複部分８０６がファイル８０７の先頭に付加され、重複時間ｔ２の重複部分８０８がファイル８０９の先頭に付加されている。
【００８２】
図８（Ｂ）に示すファイルの実例を、図８（Ａ）に示す記録フォーマットに適用すると、ファイル８０５、ファイル８０７の重複部分８０６、ファイル８０９の重複部分８０８の各先頭にそれぞれ挿入されるべきファイルは、挿入ファイル８０２〜８０４のようになる。なお、例えば「Ｐ（ｆｉｌｅ２）」は、記憶媒体１１０での重複部分８０６を含むファイル８０７全体の先頭位置を示すポインタである。
【００８３】
図８（Ａ）に例示するようなリンク情報および重複時間情報に基づき、記録した複数のファイルから重複部分を除き、本来の連続した情報に纏めて再生することが可能である。
【００８４】
なお、図８（Ａ）に示す記録フォーマットでは、重複部分を特定するための情報として表す重複情報を記録しているが、これに代わって、重複部分のメモリサイズを記録するようにしてもよい。
【００８５】
また、上記のリンク情報および重複時間情報をファイルごとに記録する構成は、上記の第１乃至第６の実施の形態のいずれにも適用可能である。
【００８６】
〔他の実施の形態〕
なお、本発明の目的は、前述した各実施の形態の機能を実現するソフトウェアのプログラムコードを記録した記憶媒体を、システムまたは装置に供給し、そのシステムまたは装置のコンピュータ（またはＣＰＵ、ＭＰＵ等）が記憶媒体に格納されたプログラムコードを読み出して実行することによっても達成される。
【００８７】
この場合、記憶媒体から読み出されたプログラムコード自体が本発明の新規な機能を実現することになり、そのプログラムコードを記憶した記憶媒体およびプログラムは本発明を構成することになる。
【００８８】
また、プログラムコードを供給するための記憶媒体としては、例えば、フレキシブルディスク、ハードディスク、光ディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。或いは、上記プログラムは、インターネット、商用ネットワーク、若しくはローカルエリアネットワーク等に接続される他のコンピュータやデータベース等からダウンロードすることにより供給される。
【００８９】
また、コンピュータが読み出したプログラムコードを実行することにより、前述した各実施の形態の機能が実現されるだけでなく、そのプログラムコードの指示に基づき、コンピュータ上で稼動しているＯＳ（オペレーティングシステム）等が実際の処理の一部または全部を行い、その処理によって前述した各実施の形態の機能が実現される場合も含まれる。
【００９０】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した各実施の形態の機能が実現される場合も含まれる。
【図面の簡単な説明】
【００９１】
【図１】本発明の第１の実施の形態に係る映像記録再生装置の構成を示すブロック図である。
【図２】撮影開始から撮影終了までの１つの記録映像と、分割された複数のファイルとを示す図である。
【図３】第１の実施の形態における映像記録再生装置で行なわれるファイル分割処理を含む映像データ記録処理の手順を示すフローチャートである。
【図４】第２の実施の形態における撮影開始から撮影終了までの１つの記録映像と、対応する記録音声と、分割された複数のファイルとを示す図である。
【図５】第３の実施の形態における撮影開始から撮影終了までの１つの記録映像と、該記録映像のピクチャタイプ構成と、分割された複数のファイルとを示す図である。
【図６】第４の実施の形態における映像記録再生装置で行なわれるファイル分割処理を含む映像データ記録処理の手順を示すフローチャートである。
【図７】第６の実施の形態における記録媒体のファイル記録構成を示す図である。
【図８】第７の実施の形態におけるファイル形態を示す図である。
【図９】従来の映像記録再生装置の構成を示すブロック図である。
【符号の説明】
【００９２】
１０１・・・撮像素子（撮影手段）
１０２・・・カメラ信号処理部
１０３・・・画像圧縮・伸長処理部
１０４・・・出力処理部
１０５・・・表示部
１０６・・・記録・再生処理部（記録手段）
１０７・・・光学系制御部
１０８・・・システムコントローラ
１０９・・・操作部
１１０・・・記録媒体
１１１・・・分割指示部（分割指示手段）
１１２・・・重複設定部
１１３・・・分割処理部（制御手段）
１１４・・・バッファ
１１５・・・記録映像
【図１】
2005328154.tif 000003
【図２】
2005328154.tif 000004
【図３】
2005328154.tif 000005
【図４】
2005328154.tif 000006
【図５】
2005328154.tif 000007
【図６】
2005328154.tif 000008
【図７】
2005328154.tif 000009
【図８】
2005328154.tif 000010
【図９】
2005328154.tif 000011